(57)【要約】【課題】  調光回路の入力端子への誤配線に対して、基板を大形化することなく、基板および電子部品の損傷を抑制できる調光用点灯装置および照明装置を提供する。【解決手段】  調光用点灯装置１は、整流回路７と一方の入力端子６ａとの間に直列的に接続された第１および第２の抵抗素子８ａ，８ｂからなり、第１の抵抗素子８ａの抵抗値が第２の抵抗素子８ｂの抵抗値よりも小さく設定され、かつ第１の抵抗素子８ａが第２の抵抗素子８ｂよりも入力端子６ａ側に接続されている電流調整用素子９と、第１および第２の抵抗素子８ａ，８ｂの中点ａ１と他方の入力端子６ｂとの間に接続された過電圧保護素子１０とを有する調光回路２と、交流電源Ｖｓからの入力電力を調光回路２から出力された直流電圧に応じた電力に変換して出力する主回路３と、主回路３から出力された電力に応じて点灯する光源４とを具備している。【選択図】図１
2010040182.tif 000002
【特許請求の範囲】
【請求項１】
入力端子に調光信号が入力され、この調光信号に応じた直流電圧を出力する直流電圧変換部と、この直流電圧変換部に流れる電流を調整する第１および第２の抵抗素子からなる電流調整用素子を有し、第１の抵抗素子は、前記入力端子に過電流が入力したときに当該過電流により溶断するように、その抵抗値が第２の抵抗素子の抵抗値よりも小さく設定された調光回路と；
交流電源にリード線を介して接続される一対の電源入力端子を有し、この電源入力端子に入力された交流電源からの電力を前記調光回路から出力された直流電圧に応じた電力に変換して出力する主回路と；
主回路から出力された電力に応じて点灯する光源と；
を具備していることを特徴とする調光用点灯装置。
【請求項２】
調光回路は、調光信号が入力される一対の入力端子と、この入力端子に入力側が接続され、調光信号を整流する整流回路と、この整流回路と一方の前記入力端子との間に直列的に接続された第１および第２の抵抗素子からなり、前記整流回路の出力側に所定の電流が流れるように第１および第２の抵抗素子の合成抵抗値が設定され、かつ第１の抵抗素子の抵抗値が第２の抵抗素子の抵抗値よりも小さく設定されているとともに、第１の抵抗素子が第２の抵抗素子よりも一方の前記入力端子側に接続されている電流調整用素子と、前記第１および第２の抵抗素子の中点と他方の前記入力端子との間に接続され、調光信号の印加では非導通の過電圧保護素子とを有し、前記調光信号に応じた直流電圧を出力するように構成されていることを特徴とする請求項１記載の調光用点灯装置。
【請求項３】
調光回路は、調光信号が入力される一対の入力端子と、この入力端子に入力側が接続され、調光信号を整流する整流回路と、この整流回路と一方の前記入力端子との間に接続された第１の抵抗素子および前記整流回路の出力間に接続された第２の抵抗素子からなり、前記整流回路の出力側に所定の電流が流れるように第１および第２の抵抗素子の合成抵抗値が設定され、かつ第１の抵抗素子の抵抗値が第２の抵抗素子の抵抗値よりも小さく設定されている電流調整用素子とを有し、前記調光信号に応じた直流電圧を出力するように構成されていることを特徴とする請求項１記載の調光用点灯装置。
【請求項４】
請求項１ないし３いずれか一記載の調光用点灯装置と；
この調光用点灯装置の調光回路の入力端子に伝送線を介して接続され、当該入力端子に調光信号を出力する調光装置と；
光源を配設している照明器具と；
を具備していることを特徴とする照明装置。
【発明の詳細な説明】
【技術分野】
【０００１】
本発明は、光源が調光信号に応じて調光点灯する調光用点灯装置および照明装置に関する。
【背景技術】
【０００２】
放電灯点灯装置の入力端子と出力端子とを誤って、出力端子に商用電源を接続し、そのまま電源を投入するというヒューマンエラーに対して、故障の発生を抑制することができる放電灯点灯装置が提案されている（特許文献１参照。）。この従来技術の放電灯点灯装置は、インバータ回路により生成された周期電圧を外部の放電灯に供給するための端子台に電源電圧が印加された場合に、当該電源電圧が制御電源部へ供給されることを阻止するダイオードを備えたものである。これにより、商用電源による短絡電流が流れることが抑制され、極性反転回路における短絡電流によるスイッチング素子や他のダイオードの損傷あるいは破壊が抑制される結果、入出力誤結線時における故障の発生を抑制することができるというものである。
【０００３】
ところで、放電灯点灯装置には、ＰＷＭ調光信号に応じて放電ランプとしての蛍光ランプが調光点灯されるものがある（例えば特許文献２参照。）。すなわち、調光回路の入力端子に調光装置から出力されたＰＷＭ調光信号が入力されている。そして、施工時、特許文献１の放電灯点灯装置の場合と同様に、調光回路の入力端子に商用交流電源に接続されている電源線を誤って接続することがあった。例えば、放電灯点灯装置は、照明器具の内部に配設されることが多く、この場合、調光回路の入力端子に接続した伝送線および商用交流電源に接続されるリード線を照明器具からそれぞれ引き出している。そして、前記伝送線が商用交流電源に配線されている電源線に誤って接続されることがあり、今後も、その誤接続が懸念されている。
【０００４】
調光回路の入力端子に商用交流電源が入力すると、ＰＷＭ調光信号を整流する整流装置や電流調整用の抵抗素子などが発熱し、基板やその他の電子部品に損傷などを与える。このため、特許文献１の放電灯点灯装置と同様に、前記誤配線（誤接続）の発生に対する対策が求められている。
【０００５】
そして、当該対策として、例えば、特許文献３の電源回路に示す構成を用いることができる。すなわち、当該電源回路は、正極端子および負極端子間にヒューズを介して過電圧保護素子を接続したものであり、誤接続により正極端子および負極端子間に高電圧が印加されると、過電圧保護素子が導通し、過電流によってヒューズが溶断するものである。これにより、電子機器（負荷）が保護されるものである。
【０００６】
また、前記対策として、特許文献４の過電圧・逆接続保護回路に示す構成を用いることができる。すなわち、当該過電圧・逆接続保護回路は、定電圧ダイオードとリレーの直列回路をリレーの常閉接点を介して負荷に並列接続するとともに、前記直列回路に直流電源を接続し、前記直列回路の作動電圧が負荷の許容範囲の上限電圧として設定されているものである。直流電源の充電電圧が上昇して過電圧状態になると、リレーがオンして、常閉接点が開路し、負荷が過電圧から保護されるというものである。
【特許文献１】特開２００６−１３４７３２号公報（第９頁、第２図）
【特許文献２】特開２００６−１０７７８４号公報（第４、７頁、第１図）
【特許文献３】特開２０００−１８８８２６号公報（第２頁、第１図）
【特許文献４】実開平２−１３６４３９号明細書（第６−８頁、第１図）
【発明の開示】
【発明が解決しようとする課題】
【０００７】
しかしながら、特許文献３の電源回路のように、調光回路にヒューズを用いると、電子部品を実装する基板でのヒューズの占有面積は大きいので、基板が大きくなるという欠点を有する。また、特許文献４の電圧・逆接続保護回路のように、リレーを用いると、基板が大形化するとともに、部品点数が多くなって放電灯点灯装置のコストが上昇するという欠点を有する。
【０００８】
本発明は、調光回路の入力端子への誤配線に対して、基板を大形化することなく、基板および電子部品の損傷を抑制できる調光用点灯装置および照明装置を提供することを目的とする。
【課題を解決するための手段】
【０００９】
請求項１に記載の調光用点灯装置の発明は、入力端子に調光信号が入力され、この調光信号に応じた直流電圧を出力する直流電圧変換部と、この直流電圧変換部に流れる電流を調整する第１および第２の抵抗素子からなる電流調整用素子を有し、第１の抵抗素子は、前記入力端子に過電流が入力したときに当該過電流により溶断するように、その抵抗値が第２の抵抗素子の抵抗値よりも小さく設定された調光回路と；交流電源にリード線を介して接続される一対の電源入力端子を有し、この電源入力端子に入力された交流電源からの電力を前記調光回路から出力された直流電圧に応じた電力に変換して出力する主回路と；主回路から出力された電力に応じて点灯する光源と；を具備していることを特徴とする。
【００１０】
本発明および以下の各発明において、特に言及しない限り、各構成は以下による。
【００１１】
入力端子および電源入力端子は、ねじ端子、ねじ無し端子やピン端子など、その構造は、特に問わない。
【００１２】
第１および第２の抵抗素子のそれぞれの抵抗値は、入力端子に調光信号が入力されるときの設定値であり、直流電圧変換部に設定電流が流れるように、その合成抵抗値が設定されている。
【００１３】
そして、第１の抵抗素子の抵抗値を第２の抵抗素子の抵抗値よりも小さく設定するのは、第１の抵抗素子（入力端子）に過電流が流れたときに、第１の抵抗素子を瞬時に（直ちに）溶断させるためである。
【００１４】
本発明によれば、調光信号が入力される調光回路の入力端子に過電流が入力すると、第１の抵抗素子は、その抵抗値が第２の抵抗素子の抵抗値よりも小さいので、比較的小さい抵抗値であり、当該過電流により瞬時に溶断する。これにより、他の電子部品や電子部品を実装している基板への熱損傷が抑制される。
【００１５】
請求項２に記載の調光用点灯装置の発明は、請求項１記載の調光用点灯装置において、調光回路は、調光信号が入力される一対の入力端子と、この入力端子に入力側が接続され、調光信号を整流する整流回路と、この整流回路と一方の前記入力端子との間に直列的に接続された第１および第２の抵抗素子からなり、前記整流回路の出力側に所定の電流が流れるように第１および第２の抵抗素子の合成抵抗値が設定され、かつ第１の抵抗素子の抵抗値が第２の抵抗素子の抵抗値よりも小さく設定されているとともに、第１の抵抗素子が第２の抵抗素子よりも一方の前記入力端子側に接続されている電流調整用素子と、前記第１および第２の抵抗素子の中点と他方の前記入力端子との間に接続され、調光信号の印加では非導通の過電圧保護素子とを有し、前記調光信号に応じた直流電圧を出力するように構成されていることを特徴とする。
【００１６】
第１および第２の抵抗素子のそれぞれの抵抗値は、入力端子に調光信号が入力されるときの設定値であり、整流回路の出力側に所定の電流が流れるように、その合成抵抗値が設定されている。
【００１７】
「第１および第２の抵抗素子の中点」とは、第１の抵抗素子と第２の抵抗素子との接続点に限らず、直列接続されている第１および第２の抵抗素子の間の位置を示す。
【００１８】
過電圧保護素子は、商用交流電源の交流電圧では導通するものであり、例えばバリスタである。
【００１９】
本発明によれば、調光回路の一対の入力端子に、誤って主回路の一対の電源入力端子に入力する交流電源が接続されると、過電圧保護素子が導通し、一方の入力端子、第１の抵抗素子、過電圧保護素子および他方の入力端子の閉回路内で過電流が流れる。第１の抵抗素子は、その抵抗値が第２の抵抗素子の抵抗値よりも小さいので、比較的小さい抵抗値となり、前記過電流が流れることにより瞬時に溶断する。これにより、他の電子部品や電子部品を実装している基板への熱損傷が抑制される。
【００２０】
請求項３に記載の調光用点灯装置の発明は、請求項１記載の調光用点灯装置において、調光回路は、調光信号が入力される一対の入力端子と、この入力端子に入力側が接続され、調光信号を整流する整流回路と、この整流回路と一方の前記入力端子との間に接続された第１の抵抗素子および前記整流回路の出力間に接続された第２の抵抗素子からなり、前記整流回路の出力側に所定の電流が流れるように第１および第２の抵抗素子の合成抵抗値が設定され、かつ第１の抵抗素子の抵抗値が第２の抵抗素子の抵抗値よりも小さく設定されている電流調整用素子とを有し、前記調光信号に応じた直流電圧を出力するように構成されていることを特徴とする。
【００２１】
本発明によれば、調光回路の一対の入力端子に、誤って主回路の一対の電源入力端子に入力する交流電源が接続されると、一方の入力端子、第１の抵抗素子、整流回路および他方の入力端子の閉回路内で過電流が流れる。第１の抵抗素子は、その抵抗値が第２の抵抗素子の抵抗値よりも小さいので、比較的小さい抵抗値となり、前記過電流が流れることにより瞬時に溶断し、発熱しなくなる。あるいは、前記過電流により整流回路が破壊して前記閉回路内に電流が流れなくなり、第１の抵抗素子が発熱しなくなる。これにより、他の電子部品や電子部品を実装している基板への熱損傷が抑制される。
【００２２】
請求項４に記載の照明装置の発明は、請求項１ないし３いずれか一記載の調光用点灯装置と；この調光用点灯装置の調光回路の入力端子に伝送線を介して接続され、当該入力端子に調光信号を出力する調光装置と；光源を配設している照明器具と；を具備していることを特徴とする。
【００２３】
本発明によれば、調光用点灯装置の調光回路の入力端子に、調光装置に接続されている伝送線ではなく、誤って交流電源に配線されている電源線が接続されると、調光回路の第１の抵抗素子を瞬時に溶断することのできる調光用点灯装置を具備する照明装置が提供される。
【発明の効果】
【００２４】
請求項１の発明によれば、調光回路の入力端子に過電流が流れると、第１の抵抗素子が瞬時に溶断して他の電子部品や電子部品を実装している基板への熱損傷を抑制することができるので、ヒューズやリレーなどの電流保護素子よりも基板での占有面積が小さい第１および第２の抵抗素子からなる電流調整用素子を用いることにより、基板の大形化を抑制することができて、調光用点灯装置の大形化やコスト上昇を抑制することができる。
【００２５】
請求項２の発明によれば、調光回路の一対の入力端子に、誤って主回路の一対の電源入力端子に入力する交流電源が接続されると、第１の抵抗素子が瞬時に溶断して他の電子部品や電子部品を実装している基板への熱損傷を抑制することができるので、ヒューズやリレーなどの電流保護素子よりも基板での占有面積が小さい第１および第２の抵抗素子を用いることにより、基板の大形化を抑制することができて、調光用点灯装置の大形化やコスト上昇を抑制することができる。
【００２６】
請求項３の発明によれば、調光回路の一対の入力端子に、誤って主回路の一対の電源入力端子に入力する交流電源が接続されると、第１の抵抗素子が瞬時に溶断し、または整流回路が破壊して、他の電子部品や基板への熱損傷を抑制することができるので、ヒューズやリレーなどの電流保護素子よりも基板での占有面積が小さい第１および第２の抵抗素子を用いることにより、基板の大形化を抑制することができて、調光用点灯装置の大形化やコスト上昇を抑制することができる。
【００２７】
請求項４の発明によれば、調光用点灯装置の調光回路の入力端子に誤って交流電源が接続されると、調光回路の第１の抵抗素子が瞬時に溶断して調光用点灯装置への熱損傷が抑制される照明装置を提供することができる。
【発明を実施するための最良の形態】
【００２８】
以下、本発明の一実施の形態について、図面を参照して説明する。まず、本発明の第１の実施形態について説明する。
【００２９】
図１は、本発明の第１の実施形態を示す調光用点灯装置の概略回路図である。
【００３０】
調光用点灯装置１は、調光回路２、主回路３、光源４および制御回路５を有して構成され、図示しない調光装置から送信された調光信号により光源４が調光点灯されるものである。すなわち、調光信号は、調光回路２に入力される。調光回路２は、調光信号を直流電圧に変換して制御回路５に出力する。制御回路５は、その直流電圧に応じて主回路２を制御し、主回路２から当該直流電圧に応じた電力を出力させる。光源４は、主回路２から出力された電力に付勢して調光点灯するものである。
【００３１】
調光回路２は、一対の入力端子６ａ，６ｂ、整流回路としての整流器７、第１の抵抗素子８ａおよび第２の抵抗素子８ｂからなる電流調整用素子９および過電圧保護素子１０を有して構成されている。そして、一対の入力端子６ａ，６ｂには、それぞれリード線１１，１１が接続されている。このリード線１１，１１は、図示しない調光装置に接続されている図示しない伝送線に例えば圧着端子により接続されるものである。一対の入力端子６ａ，６ｂには、調光装置から出力された調光信号としてのＰＷＭ調光信号が入力される。そして、入力端子６ａにＰＷＭ信号の正極側が入力され、入力端子６ｂにＰＷＭ信号の負極側が入力される。
【００３２】
整流器７は、その入力側が第１および第２の抵抗素子８ａ，８ｂを介して入力端子６ａ，６ｂに接続されている。また、その出力間には、フォトカプラＰＣ１のフォトダイオードＰＤ１を接続している。整流器７は、入力端子６ａ，６ｂに入力したＰＷＭ調光信号を整流し、この整流した電流によりフォトダイオードＰＤ１を発光させる。
【００３３】
電流調整用素子９は、整流器７の出力側に流れる電流を調整するものであり、第１の抵抗素子８ａおよび第２の抵抗素子８ｂからなっている。そして、第１の抵抗素子８ａおよび第２の抵抗素子８ｂは、整流器７の一方の入力側と、一方の入力端子６ａとの間に直列的に接続されている。第１および第２の抵抗素子８ａ，８ｂは、整流器７の出力間に接続されているフォトカプラＰＣ１のフォトダイオードＰＤ１に所定の電流（例えば１〜２ｍＡ）が流れるように、その合成抵抗値が設定されている。
【００３４】
そして、第１の抵抗素子８ａは、その抵抗値が第２の抵抗素子８ｂの抵抗値よりも小さく設定されているとともに、第２の抵抗素子８ｂよりも一方の入力端子６ａ側に接続されているものである。一対の入力端子６ａ，６ｂに入力されるＰＷＭ調光信号の電圧値は、例えばＤＣ１２Ｖであり、第１および第２の抵抗素子８ａ，８ｂの合成抵抗値は、１０ｋΩ程度となっている。すなわち、第１および第２の抵抗素子８ａ，８ｂのそれぞれの抵抗値は、調光用点灯装置１の他の抵抗素子の抵抗値に対して、比較的小さい値となっている。そして、その抵抗値が比較的小さいことにより、第１および第２の抵抗素子８ａ，８ｂの外形も比較的小さくなり、実装されている基板での第１および第２の抵抗素子８ａ，８ｂの占有面積も小さいものとなっている。
【００３５】
過電圧保護素子１０は、例えばバリスタであり、第１および第２の抵抗素子８ａ，８ｂの中点ａ１と他方の入力端子６ｂとの間に接続されている。そして、過電圧保護素子１０は、ＰＷＭ調光信号の電圧値（ＤＣ１２Ｖ）が印加されても導通しないものが選択されている。しかし、交流電源Ｖｓの電圧値（ＡＣ１００Ｖ）が印加されると、導通するものである。
【００３６】
そして、フォトカプラＰＣ１のフォトダイオードＰＴｒ１は、そのカソードおよびエミッタが調光主回路部１２に接続されている。調光主回路部１２は、制御回路５に接続されている。
【００３７】
フォトダイオードＰＤ１は、ＰＷＭ調光信号のオンデューティーの期間、整流器７により整流された所定の電流（例えば１〜２ｍＡ）が流れて発光する。フォトトランジスタＰＴｒ１は、フォトダイオードＰＤ１が発光しているときに導通する。そして、調光主回路部１２は、フォトトランジスタＰＴｒ１が導通している期間に応じた一定の直流電圧を出力するように形成されている。
【００３８】
フォトカプラＰＣ１および調光主回路部１２は、ＰＷＭ調光信号に応じた直流電圧を生成して出力する直流電圧変換部を形成している。そして、第１および第２の抵抗素子８ａ，８ｂからなる電流調整用素子９は、その直流電圧変換部のフォトダイオードＰＤ１に流れる電流を調整している。こうして、調光回路２は、一対の入力端子６ａ，６ｂに入力されたＰＷＭ調光信号に応じた一定の直流電圧を制御回路５に出力するように構成されている。
【００３９】
制御回路５は、調光回路２から出力された直流電圧に応じて主回路３を制御するように形成されている。
【００４０】
主回路３は、電源入力端子１３ａ，１３ｂを有している。電源入力端子１３ａ，１３ｂには、リード線１４，１４が接続されている。このリード線１４，１４は、商用交流電源Ｖｓに配線されている電源線ＷＤ１，ＷＤ２に接続される。主回路３は、リード線１４，１４および電源線ＷＤ１，ＷＤ２を介して商用交流電源Ｖｓから交流電力が供給される。そして、主回路３は、電源入力端子１３ａ，１３ｂに入力された商用交流電源Ｖｓからの交流電力を、制御回路５の制御により、調光回路２から出力された直流電圧に応じた電力に変換して出力するように形成されている。すなわち、主回路３は、調光回路２の入力端子６ａ，６ｂに入力されるＰＷＭ調光信号に応じた電力を出力するように形成されているものである。
【００４１】
例えば、光源４が蛍光ランプの場合、主回路２は、商用交流電源Ｖｓの交流電圧を直流電圧に変換する直流電源回路、その直流電圧を交流高周波電圧に変換するインバータ回路や蛍光ランプに共振電圧を印加させる共振回路などを有して形成される。また、光源４が発光ダイオードの場合、前記直流電源回路に加え、発光ダイオードにＰＷＭ調光信号に応じた電流を供給する定電流回路などを有して形成される。
【００４２】
光源４は、主回路３の出力間に接続され、主回路３から出力された電力に応じて調光点灯する。光源４としては、蛍光ランプなどの放電ランプ、発光ダイオード（ＬＥＤ）、エレクトロルミネッセント（ＥＬ）素子や電球など、照明光を放射し、その照明光を利用可能なものであればよい。
【００４３】
次に、本発明の第１の実施形態の作用について述べる。
【００４４】
商用交流電源Ｖｓに配線されている電源線ＷＤ１，ＷＤ２を、主回路３の電源入力端子１３ａ，１３ｂに接続しているリード線１４，１４に接続せずに、誤って調光回路２の入力端子６ａ，６ｂに接続されているリード線１１，１１に接続すると、調光回路２は、リード線１１，１１および電源線ＷＤ１，ＷＤ２を介して商用交流電源Ｖｓに接続される。そして、商用交流電源Ｖｓが投入されると、交流電圧（例えばＡＣ１００Ｖ）が過電圧保護素子１０に印加され、過電圧保護素子１０が導通して、商用交流電源Ｖｓ、一方の入力端子６ａ、第１の抵抗素子８ａ、過電圧保護素子１０および他方の入力端子６ｂの閉回路内で過電流が流れる。
【００４５】
第１の抵抗素子８ａは、その抵抗値が比較的小さいので、過電流が流れると、瞬時に溶断する。すなわち、第１の抵抗素子８ａは、第１および第２の抵抗素子８ａ，８ｂの合成抵抗値における抵抗比率を低くして、第２の抵抗素子９の抵抗値よりも小さい抵抗値としているので、比較的小さい抵抗値となり、過電流により瞬時に溶断させることができる。
【００４６】
第１の抵抗素子８ａが溶断すると、前記閉回路内に電流が流れなくなり、第１の抵抗素子８ａは、発熱しなくなる。これにより、整流器７などの他の電子部品や調光用点灯装置１の電子部品を実装している基板への熱損傷が抑制される。そして、上記誤配線（誤接続）の調光用点灯装置１に対して、第１の抵抗素子８ａを交換することにより、当該調光用点灯装置１を再使用することができる。
【００４７】
そして、第１および第２の抵抗素子８ａ，８ｂは、その外形が小さく、ヒューズやリレーなどの電流保護素子よりも基板での占有面積や占有空間が小さいので、基板の大形化を抑制することができる。この結果、調光用点灯装置１の大形化やコスト上昇を抑制することができる。
【００４８】
次に、本発明の第２の実施形態について説明する。
【００４９】
図２は、本発明の第２の実施形態を示す調光用点灯装置の概略回路図である。なお、図１と同一部分には、同一符号を付して説明は省略する。
【００５０】
図２に示す調光用点灯装置１５は、図１に示す調光用点灯装置１において、過電圧保護素子１０が除去され、整流器７の一方の入力側および一方の入力端子６ａの間に第１の抵抗素子８ａが接続され、整流器７の出力間にフォトカプラＰＣ１のフォトダイオードＰＤ１と直列的に第２の抵抗素子８ｂが接続されて調光回路２Ａが形成されたものである。
【００５１】
商用交流電源Ｖｓに配線されている電源線ＷＤ１，ＷＤ２を、誤って調光回路２の入力端子６ａ，６ｂに接続されているリード線１１，１１に接続し、この状態で、商用交流電源Ｖｓが投入されると、商用交流電源Ｖｓ、一方の入力端子６ａ、整流器７および他方の入力端子６ｂの閉回路内で過電流が流れる。
【００５２】
第１の抵抗素子８ａは、その抵抗値が第２の抵抗素子８ｂの抵抗値よりも小さく設定されているので、比較的小さい抵抗値であり、過電流により瞬時に溶断する。または、整流器７に過電流が流れることにより、整流器７が瞬時に破壊することがある。これにより、前記閉回路内に電流が流れなくなり、第１の抵抗素子８ａは、発熱しなくなる。この結果、フォトカプラＰＣ１などの他の電子部品や基板への熱損傷が抑制される。そして、上記誤配線（誤接続）の調光用点灯装置１５に対して、第１の抵抗素子８ａおよび整流器７を交換することにより、当該調光用点灯装置１５を再使用することができる。
【００５３】
そして、第１および第２の抵抗素子８ａ，８ｂは、その外形が小さく、ヒューズやリレーなどの電流保護素子よりも基板での占有面積や占有空間が小さいことに加え、過電圧保護素子１０を用いないので、さらに基板の大形化を抑制することができる。この結果、調光用点灯装置１５の大形化やコスト上昇を抑制することができる。
【００５４】
次に、本発明の第３の実施形態について説明する。
【００５５】
本発明の第３の実施形態を示す照明装置の概略構成図である。なお、図１と同一部分には、同一符号を付して説明は省略する。
【００５６】
図３に示す照明装置１６は、照明器具１７、放電ランプ用点灯装置１８および調光装置１９を有して構成されている。
【００５７】
照明器具１７は、天井面２０に直付けされる直付形照明器具であり、略枠状の器具本体２１の両端に一対のランプソケット２２，２２が設けられている。そして、ランプソケット２２，２２に光源としての直管形蛍光ランプ２３を装着している。また、器具本体２１は、蛍光ランプ２３と対向して断面略皿状の反射板２４を取り付けている。反射板２４の表面は、反射面２４ａに形成されている。
【００５８】
また、器具本体２１は、反射板２４の内側で、放電ランプ用点灯装置１８を図示しないねじにより固定している。放電ランプ用点灯装置１８は、図１に示す調光用点灯装置１において、光源４が除去されて構成されている。
【００５９】
放電ランプ用点灯装置１８は、主回路３の電源入力端子１３ａ，１３ｂに接続されたリード線１４，１４を導出している。このリード線１４，１４は、照明器具１７を介して天井裏に引き出されて商用交流電源Ｖｓに配線されている電源線ＷＤ１，ＷＤ２に接続されている。また、放電ランプ用点灯装置１８は、調光回路２の入力端子６ａ，６ｂに接続されたリード線１１，１１を導出している。このリード線１１，１１は、照明器具１７を介して天井裏に引き出され、調光装置１９に接続されている伝送線２５，２５に圧着端子（リングスリーブ）２６，２６により接続されている。
【００６０】
調光装置１９は、手動操作部２７を有し、この手動操作部２７を移動操作させることにより、調光信号としてのＰＷＭ調光信号を出力するように構成されている。ＰＷＭ調光信号は、伝送線２５，２５およびリード線１１，１１を介して放電ランプ用点灯装置１８の調光回路２の入力端子６ａ，６ｂに入力される。調光装置１９は、例えば壁面（図示しない。）に設置されている。
【００６１】
照明装置１６は、調光装置１９の手動操作部２７を移動操作することにより、調光装置１９から当該手動操作に応じたＰＷＭ調光信号が出力される。そして、放電ランプ用点灯装置１８がＰＷＭ調光信号に応じた制御動作をすることにより、蛍光ランプ２３が調光点灯されるものである。
【００６２】
そして、商用交流電源Ｖｓに配線されている電源線ＷＤ１，ＷＤ２と、放電ランプ用点灯装置１８の調光回路２の入力端子６ａ，６ｂに接続しているリード線１１，１１を誤配線（誤接続）し、入力端子６ａ，６ｂに商用交流電源Ｖｓが接続（投入）されると、調光回路２の第１の抵抗素子８ａが瞬時に溶断することにより、放電ランプ用点灯装置１８への熱損傷を抑制することができる。
【図面の簡単な説明】
【００６３】
【図１】本発明の第１の実施形態を示す調光用点灯装置の概略回路図。
【図２】本発明の第２の実施形態を示す調光用点灯装置の概略回路図。
【図３】本発明の第３の実施形態を示す照明装置の概略構成図。
【符号の説明】
【００６４】
１，１５…調光用点灯装置
２，２Ａ…調光回路
３…主回路
４…光源
６ａ，６ｂ…入力端子
７…整流回路としての整流器
８ａ…第１の抵抗素子
８ｂ…第２の抵抗素子
９…電流調整用素子
１０…過電圧保護素子
１３ａ，１３ｂ…電源入力端子
１６…照明装置
１７…照明器具
１９…調光装置
２３…光源としての直管形蛍光ランプ
【図１】
2010040182.tif 000003
【図２】
2010040182.tif 000004
【図３】
2010040182.tif 000005